(57)【要約】【課題】コネクタ部を構成する部品点数の削減、重量の軽減を図ることが可能になると共に装置の高さを低く抑えることが可能になる電気接続箱を提供する。【解決手段】電気接続箱１は、ケース２とバスバー１０とを備え、ケース２は、バスバー設置面３より立設され、内部が相手コネクタ嵌合室５に形成される嵌合用周壁４と、嵌合用周壁４の一部が切り欠かれて形成されたスリット６とを有し、バスバー１０は、相手コネクタ嵌合室５とスリット６を介して相手コネクタ嵌合室５の外側領域とに亘って配置されるベース面部１１と、ベース面部１１より突設され、相手コネクタ嵌合室５内に立設される相手端子接続部１２と、ベース面部１１の両端に設けられ、スリット６を形成する嵌合用周壁４の両端部４ａ，４ｂに係合する２つの切欠部１３とを有し、ケース２の嵌合用周壁４とバスバー１０の相手端子接続部１２とによってコネクタ部Ａが構成された。【選択図】図１
2020072527.tif 000002
【特許請求の範囲】
【請求項１】
ケースと、前記ケースに設置されるバスバーとを備え、
前記ケースは、バスバー設置面より立設され、内部が相手コネクタ嵌合室に形成される嵌合用周壁と、前記嵌合用周壁の一部が上端より前記バスバー設置面に向かって切り欠かれて形成されたスリットとを有し、
前記バスバーは、前記相手コネクタ嵌合室と前記スリットを介して前記相手コネクタ嵌合室の外側領域に亘って配置されるベース面部と、前記ベース面部より突設され、前記相手コネクタ嵌合室内に立設される相手端子接続部と、前記ベース面部の両端に設けられ、前記スリットを形成する前記嵌合用周壁の両端部に係合する２つの切欠部とを有し、
前記ケースの前記嵌合用周壁と前記バスバーの前記相手端子接続部とによってコネクタ部が構成されたことを特徴とする電気接続箱。
【請求項２】
請求項１記載の電気接続箱であって、
前記バスバーの前記ベース面部は、前記相手コネクタ嵌合室に配置される箇所の幅と前記相手コネクタ嵌合室の外側領域に配置される箇所の幅が前記スリットの幅よりも幅広に形成され、且つ、前記相手コネクタ嵌合室に配置される箇所の幅より前記相手コネクタ嵌合室の外側領域に配置される箇所の幅が広く形成されていることを特徴とする電気接続箱。
【請求項３】
請求項１又は請求項２記載の電気接続箱であって、
前記嵌合用周壁は、上面視で四角形枠状であり、四角形の一辺の中央箇所に前記スリットが形成され、前記スリットを形成する両端部の全幅に各切欠部の端面が当接していることを特徴とする電気接続箱。
【請求項４】
請求項１〜請求項３のいずれかに記載の電気接続箱であって、
前記バスバーの前記ベース面部は、前記ケースに固定する少なくとも１つの固定部を有することを特徴とする電気接続箱。
【発明の詳細な説明】
【技術分野】
【０００１】
本発明は、コネクタ構造を備えた電気接続箱に関する。
【背景技術】
【０００２】
従来よりこの種の電気接続箱が提案されている（特許文献１参照）。図５及び図６には、この種の電気接続箱の一従来例が示されている。図５及び図６に示すように、電気接続箱５０は、ケース５１と、ケース５１に装着されるカバー５２と、ケース５１に固定されるバスバー６０とを備えている。
【０００３】
ケース５１は、バスバー６０を位置決めする手段を有する。カバー５２は、嵌合用周壁５３に囲まれた相手コネクタ嵌合室５４と、相手コネクタ嵌合室５４の底壁５５に設けられた貫通孔５６とを有する。バスバー６０は、ケース５１の位置決め手段によって所定位置に固定されている。バスバー６０は、上方に立設する相手端子接続部６１を有する。相手端子接続部６１は、カバー５２の貫通孔５６を貫通して相手コネクタ嵌合室５４内に立設されている。
【０００４】
バスバー６０を位置決め固定するケース５１と、バスバー６０の相手端子接続部６１と、カバー５２の嵌合用周壁５３とによってコネクタ部Ｂが構成されている。このコネクタ部Ｂｂに相手コネクタ（図示せず）が嵌合される。
【先行技術文献】
【特許文献】
【０００５】
【特許文献１】特開２０１１−７８２８０号公報
【発明の概要】
【発明が解決しようとする課題】
【０００６】
しかしながら、前記従来例では、コネクタ部Ｂがケース５１とバスバー６０とカバー５２とによって構成されているため、部品点数増、重量増になるという問題があった。
【０００７】
また、ケース５１の上に装着したカバー５２に嵌合用周壁５３を設けるために、電気接続箱５０の高さが高くなるという問題があった。
【０００８】
そこで、本発明は、前記した課題を解決すべくなされたものであり、コネクタ部を構成する部品点数の削減、重量の軽減を図ることが可能になると共に装置の高さを低く抑えることが可能になる電気接続箱を提供することを目的とする。
【課題を解決するための手段】
【０００９】
本発明は、ケースと、前記ケースに設置されるバスバーとを備え、前記ケースは、バスバー設置面より立設され、内部が相手コネクタ嵌合室に形成される嵌合用周壁と、前記嵌合用周壁の一部が上端より前記バスバー設置面に向かって切り欠かれて形成されたスリットとを有し、前記バスバーは、前記相手コネクタ嵌合室と前記スリットを介して前記相手コネクタ嵌合室の外側領域に亘って配置されるベース面部と、前記ベース面部より突設され、前記相手コネクタ嵌合室内に立設される相手端子接続部と、前記ベース面部の両端に設けられ、前記スリットを形成する前記嵌合用周壁の両端部に係合する２つの切欠部とを有し、前記ケースの前記周壁部と前記バスバーの前記相手端子接続部とによってコネクタ部が構成されたことを特徴とする電気接続箱である。
【発明の効果】
【００１０】
本発明によれば、コネクタ部がケースとバスバーによって構成できるため、コネクタ部を構成する部品点数の削減、重量の軽減を図ることが可能になると共に装置の高さを低く抑えることが可能になる。
【図面の簡単な説明】
【００１１】
【図１】本発明の一実施形態を示し、（ａ）は電気接続箱のコネクタ部及びその周辺の平面図、（ｂ）は電気接続箱のコネクタ部及びその周辺の断面斜視図である。
【図２】本発明の一実施形態を示し、ケースの嵌合用周壁及びその周辺の平面図である。
【図３】本発明の一実施形態を示し、（ａ）はバスバーの平面図、（ｂ）はバスバーの側面図である。
【図４】本発明の一実施形態を示し、バスバーの位置決め及び回り止めを説明する図である。
【図５】従来例を示し、電気接続箱のコネクタ部及びその周辺の上面図である。
【図６】従来例を示し、電気接続箱のコネクタ部及びその周辺の断面斜視図である。
【発明を実施するための形態】
【００１２】
以下、本発明の一実施形態を説明する。
【００１３】
本発明の一実施形態を、図１〜図４を参考に説明する。電気接続箱１は、バスバー設置部材であるケース２と、ケース２に設置されるバスバー１０とを備えている。
【００１４】
ケース２は、バスバー設置面３より立設された嵌合用周壁４を有する。嵌合用周壁４の内部が相手コネクタ嵌合室５に形成されている。嵌合用周壁４の一部には、上端よりバスバー設置面３に向かって切り欠かれたスリット６が形成されている。嵌合用周壁４は、上面視で、一辺の中央箇所にスリット６が形成された四角形枠状である。スリット６を形成する両端部（スリット６の両外側に位置する両端部）４ａ，４ｂは、そのスリット６側の上方の側端面が上方に広がるテーパ面に形成されているが、テーパ面より下方の側端面はバスバー設置面３に至るまで垂直面に形成されている。
【００１５】
又、ケース２には、相手コネクタ嵌合室５の外側領域の箇所に締結用穴７が形成されている。
【００１６】
バスバー１０は、所定形状の導電性金属プレートをプレス成形し、所定の向きに折曲することで形成されている。バスバー１０は、ベース面部１１と、タブ状の相手端子接続部１２とを有する。ベース面部１１は、相手コネクタ嵌合室５とスリット６を介して相手コネクタ嵌合室５の外側領域とに亘って設置されている。ベース面部１１の幅方向Ｗ（図３、図４に示す）の両端部には、ケース２への設置状態で、スリット６に対応する位置に２つ（一対）の切欠部１３が設けられている。
【００１７】
ベース面部１１は、フラット面である。ベース面部１１は、ケース２のバスバー設置面３にほぼ面接触する状態で設置されている。ベース面部１１は、相手コネクタ嵌合室５に配置される箇所の幅Ｄ１と相手コネクタ嵌合室５の外側領域に配置される箇所の幅Ｄ２は、スリット６に配置される箇所の幅Ｄ３よりも幅広に形成されている（図１（ａ）、図３参照）。ベース面部１１は、スリット６に配置される箇所、つまり、２つの切欠部１３の間の幅Ｄ３がスリット６と同じ幅に形成されている。各切欠部１３は、スリット６を形成する嵌合用周壁４の両端部４ａ，４ｂに隙間なく係合する方形溝形状に形成されている。バスバー１０は、この２つの切欠部１３によってケース２のバスバー設置面３の面に対して２次元的に位置決めされている。
【００１８】
詳細には、図４に示すように、各切欠部１３は、バスバー１０の幅方向Ｗに沿う２つの対向する端面１３ａ，１３ｂと、バスバー１０の幅方向Ｗに直交する１つの端面１３ｃとを有し、バスバー１０の２つの切欠部１３の２つの端面１３ａ，１３ｂが図４のＸ方向に対して位置決めし、バスバー１０の２つの切欠部１３の端面１３ｃが図４のＹ方向に対して位置決めするため、バスバー１０がケース２に対して２次元的（回転方向を含む）に位置決めされる。
【００１９】
ベース面部１１には、相手コネクタ嵌合室５の外側領域に配置される箇所に固定部である締結用穴１４が形成されている。ケース２に位置決め状態で載置されたバスバー１０は、締結用穴１４がケース２の締結用穴７の位置に一致する。双方の締結用穴７，１４を利用してボルト（図示せず）とネジ（図示せず）と共に電気接続用端子（図示せず）を共締めすることによって、バスバー１０がケース２に固定されると共にバスバー１０と電気接続用端子（図示せず）が電気的に接続される。双方の締結用穴７，１４は、バスバー１０のケース２への固定用にのみ利用しても良い。
【００２０】
相手端子接続部１２は、嵌合用周壁４で囲まれた相手コネクタ嵌合室５に立設されている。ケース２の嵌合用周壁４とバスバー１０の相手端子接続部１２とによってコネクタ部Ａが構成されている。
【００２１】
次に、バスバー１０のケース２への組み付け手順を説明する。バスバー１０の２つの切欠部１３をケース２の嵌合用周壁４のスリット６に位置合わせし、バスバー１０をケース２の上方よりバスバー設置面３上に向かって挿入（落下）する。すると、バスバー１０の２つの切欠部１３にスリット６を形成する嵌合用周壁４の両端部４ａ，４ｂが入り込み、嵌合用周壁４の両端部４ａ，４ｂがガイドとなって挿入（落下）し、バスバー１０がケース２のバスバー設置面３に載置される。これにより、バスバー１０の相手端子接続部１２が嵌合用周壁４内の相手コネクタ嵌合室５に立設状態となり、且つ、２つの切欠部１３によってバスバー１０がケース２の適正な位置で位置決めされる。次に、ボルト（図示せず）をバスバー１０とケース２の双方の締結用穴１４，７と共に電気接続部端子（図示せず）に通し、ボルト（図示せず）とナット（図示せず）を締結すれば完了する。
【００２２】
以上説明したように、電気接続箱１は、ケース２と、ケース２に設置されるバスバー１０とを備え、ケース２は、ケース２のバスバー設置面３より立設され、内部が相手コネクタ嵌合室５に形成される嵌合用周壁４と、嵌合用周壁４の一部が上端よりバスバー設置面３に向かって切り欠かれて形成されたスリット６とを有し、バスバー１０は、相手コネクタ嵌合室５とスリット６を介して相手コネクタ嵌合室５の外側領域とに亘って配置されるベース面部１１と、ベース面部１１より突設され、相手コネクタ嵌合室５内に立設される相手端子接続部１２と、ベース面部１１の両端に設けられ、スリット６を形成する嵌合用周壁４の両端部４ａ，４ｂに係合する２つの切欠部１３とを有し、ケース２の嵌合用周壁４とバスバー１０の相手端子接続部１２とによってコネクタ部Ａが構成されている。
【００２３】
従って、コネクタ部Ａがケース２とバスバー１０によって構成されるため、コネクタ部Ａを構成する部品点数の削減、重量の軽減を図ることが可能になると共に電気接続箱１の高さを低く抑えることが可能になる。又、バスバー１０をケース２のスリット６に目視で位置合わせしつつ設置できるため、設置作業が容易である。更に、従来例のようにカバーにコネクタ部を構成する部位を設ける必要がないため、カバーの単純化になる、カバーの設計自由度が向上する等の効果がある。
【００２４】
バスバー１０のベース面部１１は、相手コネクタ嵌合室５に配置される箇所の幅Ｄ１と相手コネクタ嵌合室５の外側領域に配置される箇所の幅Ｄ２がスリットの幅（Ｄ３に相当）よりも幅広に形成され、且つ、相手コネクタ嵌合室５に配置される箇所の幅Ｄ１より相手コネクタ嵌合室５の外側領域に配置される箇所の幅Ｄ２が広く形成されている。相手コネクタ嵌合室５に配置される箇所での放熱性は、嵌合用周壁４のサイズなどによって制限を受けるが、相手コネクタ嵌合室５の外側領域に配置される箇所でバスバー１０に要求される放熱性を確保できる。
【００２５】
嵌合用周壁４は、上面視で四角形枠状であり、四角形の一辺の中央箇所にスリット６が形成され、スリット６を形成する両端部の全幅Ｗ２（図１（ａ）に示す）に各切欠部１３の端面が当接している。従って、スリット６を形成する両端部４ａ，４ｂの全幅Ｗ２がバスバー１０の位置決め面（回転阻止面）となり、且つ、バスバー１０が嵌合用周壁４の一辺の両端部４ａ，４ｂ、換言すれば、左右対称位置で位置決めされるため、精度良く、且つ、確実に位置決め、回り止めできる。
【００２６】
バスバー１０のベース面部１１は、ケース２に固定する１つの固定部である締結用穴１４を有する。従って、バスバー１０をケース２に固定できる。バスバー１０の固定部は、少なくとも１つあれば良いが、複数あっても良い。バスバー１０の固定部は、ボルトの締結用穴１４であるが、ボスが圧入される圧入穴であっても良い。バスバー１０の固定部は、バスバー１０をケース２に固定できる手段であれば良い。
【００２７】
前記実施形態には、バスバー設置部材であるケース２と、ケース２に設置されるバスバー１０とを備え、ケース２は、ケース２のバスバー設置面３より立設され、内部が相手コネクタ嵌合室５に形成される嵌合用周壁４と、嵌合用周壁４の一部が上端よりバスバー設置面３に向かって切り欠かれて形成されたスリット６とを有し、バスバー１０は、相手コネクタ嵌合室５とスリット６を介して相手コネクタ嵌合室５の外側領域とに亘って配置されるベース面部１１と、ベース面部１１より突設され、相手コネクタ嵌合室５内に立設される相手端子接続部１２と、ベース面部１１の両端に設けられ、スリット６を形成する嵌合用周壁４の両端部４ａ，４ｂに係合する２つの切欠部１３とを有するコネクタ構造が開示されている。前記実施形態は、このコネクタ構造が電気接続箱１に適用された例を示すが、コネクタ構造は、電気接続箱１以外にも適用可能である。
【符号の説明】
【００２８】
１  電気接続箱
Ａ  コネクタ部
２  ケース
３  バスバー設置面
４  嵌合用周壁
４ａ，４ｂ  両端部
５  相手コネクタ嵌合室
６  スリット
１０  バスバー
１１  ベース面部
１２  相手端子接続部
１３  切欠部
１４  締結用穴（固定部）
【図１】
2020072527.tif 000003
【図２】
2020072527.tif 000004
【図３】
2020072527.tif 000005
【図４】
2020072527.tif 000006
【図５】
2020072527.tif 000007
【図６】
2020072527.tif 000008